(57)【特許請求の範囲】
【請求項１】
エレベータホールの壁面に取り付けられる開口を有する筐体と、
この筐体の開口を閉塞するフェイスプレートと、
このフェイスプレートに配設される、前記乗りかごを呼ぶための呼び操作ボタンと、
この呼び操作ボタンの信号を前記乗りかごの運行制御を行うエレベータ制御盤に出力する呼び操作ボタン基板と、
この呼び操作ボタン基板と前記エレベータ制御盤とを接続するケーブルと、
このケーブルを呼び操作ボタン基板から引き離す方向へ付勢する付勢部材と、
前記呼び操作ボタン基板と前記ケーブル間に受け部、この受け部に挿入される挿入部、及びこの挿入部に固定され前記受け部に係止される係止ツメ部からなるソケットと、
を備え、
前記係止ツメ部は、前記呼び操作ボタンよりも融点の低い熱可塑性樹脂からなることを特徴とするエレベータ装置。
【請求項２】
前記係止ツメ部は、フェイスプレートに接触していることを特徴とする請求項１に記載のエレベータ装置。
【請求項３】
前記付勢部材は、前記挿入部に取り付けられることを特徴とする請求項１又は２に記載のエレベータ装置。
【請求項４】
前記ソケットに錘が取り付けられることを特徴とする請求項１乃至請求項３の何れか一項に記載のエレベータ装置。
【発明の詳細な説明】
【技術分野】
【０００１】
本実施形態は、エレベータ装置、特に火災による呼び操作ボタン固着時の不要な呼びを防止するエレベータ装置に関する。
【背景技術】
【０００２】
一般に、エレベータ装置の各階乗り場には、乗りカゴ（以下、「エレベータ」とも言う。）の階床位置を表示する表示装置や、この表示装置の周辺に配置され、エレベータの呼び操作を行う呼び操作ボタン等が設けられている。
【０００３】
このようなエレベータ装置では、火災が発生した場合、呼び操作ボタンが火災の熱や炎により熔着、変形してしまい、乗りカゴの呼び信号を発信し続けてしまうという場合があった。このような場合、避難時にも関わらず乗りカゴは火災階へ着床・戸開してしまい乗客が負傷する恐れがあった。
【発明の概要】
【発明が解決しようとする課題】
【０００４】
本発明は、上記課題に鑑み為されたもので、その目的は、火災による熱や炎によって呼び操作ボタンが熔着等した場合のエレベータ制御盤への不要な入力を防止するため、呼び操作ボタンが熔着等する前にエレベータ制御盤への信号を物理的に遮断することのできるエレベータ装置を提供することにある。
【課題を解決するための手段】
【０００５】
上記目的を達成するために、本実施形態のエレベータ装置は、エレベータホールの壁面に取り付けられる開口を有する筐体と、この筐体の開口を閉塞するフェイスプレートと、このフェイスプレートに配設される、上記乗りかごを呼ぶための呼び操作ボタンと、この呼び操作ボタンの信号を上記乗りかごの運行制御を行うエレベータ制御盤に出力する呼び操作ボタン基板と、この呼び操作ボタン基板と上記エレベータ制御盤とを接続するケーブルと、このケーブルを呼び操作ボタン基板から引き離す方向へ付勢する付勢部材と、上記呼び操作ボタン基板と上記ケーブル間に受け部、この受け部に挿入される挿入部、及びこの挿入部に固定され上記受け部に係止される係止ツメ部からなるソケットとを備え、上記係止ツメ部は、上記呼び操作ボタンよりも融点の低い熱可塑性樹脂からなることを特徴としている。
【０００６】
このように構成することにより、火災等により呼び操作ボタンが熔着する前にソケット外れるため、制御盤への不要な入力信号の伝送を防ぎそのような階床に着床することを防止することができる。
【０００７】
また、本実施形態の他の形態のエレベータ装置によれば、上記係止ツメ部がフェイスプレートに接触していることを特徴としている。このように構成することにより、エレベータホールの温度変化を、フェイスプレートを介して係止ツメ部に伝えることで、上記エレベータ装置よりも早く呼び操作ボタン基板からケーブルを取り外すことができる。
【発明の効果】
【０００８】
本発明によれば、ホールで火災が発生し、呼び操作ボタンが熔着してしまった場合であっても、呼び操作ボタンからの呼び信号を物理的に遮断することで、制御盤への不要な入力信号の伝送を防ぎ、避難時のエレベータ運行による火災階への着床を防止できる。
【図面の簡単な説明】
【０００９】
【図１】本実施形態にかかるエレベータ装置の乗り場の概略図。
【図２】図１における操作盤の断面図。
【図３】図２における呼び操作ボタン基板とケーブルの要部斜視図。
【図４】図２における呼び操作ボタン基板からのケーブル切断動作を示す図。
【図５】本実施形態の他の形態にかかる操作盤の要部断面図。
【発明を実施するための形態】
【００１０】
以下、本実施形態のエレベータ装置について、図面を参照して詳細に説明する。なお、以下で説明する実施の形態は本発明の一例に過ぎず、各部の構成は、本発明の趣旨を達成できるものであれば、その範囲で適宜変更や修正を行えることは勿論である。
【００１１】
図１は、本実施形態にかかるエレベータ装置の乗り場の概略図であり、図２は、図１における操作盤の要部断面図であり、図３は、図２における呼び操作ボタン基板とケーブルの要部斜視図であり、図４は、図２における呼び操作ボタン基板からのケーブル切断の動作を示す図であり、図５は、本実施形態の他の形態にかかる操作盤の要部断面図である。
【００１２】
図１は、本実施形態のエレベータホール１を示している。図１に示すように、エレベータホール１における壁部２には、その内側の昇降路に通じる出入口３が設けられており、出入口３は三方枠４を備えている。三方枠４は一対の側壁部５と、これら側壁部５の上部間に架設された天板部６とで構成されている。出入口３の背面部には、この出入口３を開閉するホールドア７が設けられている。ホールドア７は、例えば一対のドアパネル７a，７bが左右に移動して出入口４を開閉する両開き式構造となっている。ドアパネル７a，７bは、出入口３の背面下部に据付けられた敷居の上に配置され、その敷居に沿って移動する。
【００１３】
壁部２には出入口３の上部に表示部８が取り付けられており、乗りカゴの現在階床や方向の他、地震、火災等が発生した場合のエレベータの運転状況を表示する。また、出入口３の側方部に操作盤９が取り付けられ、操作盤９には乗客がエレベータを呼ぶための呼び操作ボタン１０が設けられている。
【００１４】
図２は、操作盤９の要部断面図を示している。図２に示すように、操作盤９は、呼び操作ボタン１０と、呼び操作ボタン基板１１と、呼び操作ボタン基板１１からの信号をエレベータの運行を制御する図示しない主制御盤へ出力するためのケーブル１２と、これらを内蔵する筐体１３と、フェイスプレート１４を備えており、ケーブル１２は筐体１３と弾性体等の付勢部材１５で連結されており、ケーブル１２は筐体１３の方向に付勢されている（矢印Q）。
【００１５】
呼び操作ボタン１０は、乗客が乗場呼びを行う際に操作するものであり、例えば呼び操作ボタン１０aが上階指定用スイッチ、呼び操作ボタン１０bが下階指定用スイッチとなっている。これら呼び操作ボタン１０a、bはフェイスプレート１４の裏面から取り付けられ固定支持されている。これら呼び操作ボタン１０a、bの材質は、例えば一般的に用いられているABS樹脂であるが、特に限定されない。
【００１６】
呼び操作ボタン基板１１とケーブル１２は、呼び操作ボタン基板１１に設けられる受け部１１aとケーブル１２に設けられる挿入部１２aからなるソケット１６によって接続されている。
【００１７】
筐体１３は、例えば金属板が箱状に折り曲げ加工され、その底面部を側壁部５近傍の壁面に当接させて配置されている。フェイスプレート１４は、例えば金属板が筐体１３の外形寸法よりも若干大きめの断面コ字状を有する蓋形状に折り曲げて加工されており、筐体１３の開口部を閉塞するようにして、筐体１３に表側から嵌め合わされている。筐体１３及びフェイスプレート１４には長手方向の両端部に、これら両部材を連結させるための締結片がそれぞれ張り出し形成されており、これら締結片が互いに重ね合わされた状態でネジ等の締結部材によって締結され、フェイスプレート１４が筐体１３に対して固着されるようになっている。
【００１８】
図３は、図２における呼び操作ボタン基板１１とケーブル１２の要部斜視図を示している。
【００１９】
図３に示すように、挿入部１２aには係止ツメ部１２bが設けられており、ソケット１６は、係止ツメ部１２bによって係止されている。係止ツメ部１２bは呼び操作ボタン１０が火災等により融着するより早く熔融、軟化する必要があるため、呼び操作ボタン１０に用いる材料よりもガラス転移温度、或いは融点の低い熱可塑性樹脂であり、その樹脂の選択はエレベータ装置の設置環境に従い適宜選択できる。なお、係止ツメ部１２bは挿入部１２aと一体成形されていてもよい。また、挿入部１２aと受け部１１aが逆に設けられていてもかまわない。
【００２０】
挿入部１２aにおける係止ツメ部１２bの位置は特に限定されないが、火災時のエレベータホール１の温度をより伝えやすくするため、係止ツメ部１２bは、熱伝導性の高い部材と接触していることが好ましく、例えば、図３に示すように係止ツメ部１２bは呼び操作ボタン１０と同じ面に設けられ、フェイスプレート１４に呼び操作ボタン１０を取り付けた状態において係止ツメ部１２bがフェイスプレート１４に接触していることが好ましい。
【００２１】
図４は、本実施形態の呼び操作ボタン基板からのケーブル切断の動作を示す図を示している。
【００２２】
先ず、図４（a）に示すように、呼び操作ボタン基板１１の受け部１１aにケーブル１２の挿入部１２aを挿入し、係止ツメ部１２bによって係止、接続する。そして、エレベータの通常運転時は、図４（b）に示すように、呼び操作ボタン基板１１の受け部１１aにケーブル１２の挿入部１２aが係止ツメ部１２bによって係止され導通しており、ケーブル１２は付勢部材１５（図２に図示）によってQ方向に付勢されている。ホールの火災等によって操作盤９の温度が上昇し、係止ツメ部１２bが融点等に近づく、或いは達すると、図４（c）に示すように、係止ツメ部１２bは軟化、或いは熔融しはじめる。その後、図４（d）に示すように、係止ツメ部１２aが軟化、或いは熔融によって接続している支持力が弱まり弾性部材１５の付勢によって、ケーブル１２は呼び操作ボタン基板１１から外れる（矢印Q）。
【００２３】
本実施形態の他の形態として、図５（a）に示すように、弾性体１５を挿入部１２aに接続する構成とすることができる。また、図５（b）に示すように、付勢部材１５に代えて、或いは加えて挿入部１２aに錘１７を取り付け、錘１７が取り付けられた挿入部１２aの自重により外れる構成としてもよい。
【００２４】
このように、本実施形態に係るエレベータ装置によれば、火災により呼び操作ボタンが熔着しても呼び操作ボタン基板１１aとケーブル１２aが外れ物理的に遮断されるため、エレベータ制御盤へ不要な呼び信号の入力を防ぎ、乗りカゴの火災階への着床を防止することができる。
【符号の説明】
【００２５】
１…  エレベータホール
２…  壁部
３…  出入口
４…  三方枠
５…  側壁部
６…  天板部
７…  ホールドア
８…  表示部
９…  操作部
１０…  呼び操作ボタン
１１…  呼び操作ボタン基板
１２…  ケーブル
１３…  筐体
１４…  フェイスプレート
１５…  弾性体
１６…  ソケット
１７…  錘
【図１】
0005327916.tif 000002
【図２】
0005327916.tif 000003
【図３】
0005327916.tif 000004
【図４】
0005327916.tif 000005
【図５】
0005327916.tif 000006